(57)【要約】      （修正有）【課題】需要家自らが電力使用量、料金、及びＣＯ２排出量削減の監視をモニタリング出来るだけでなく、一番多くエネルギーの消費する負荷設備と連携し、監視分析モニタリングする。【解決手段】電力会社及びＰＰＳから設定ツールである電力供給約款が入力記録され、且つ公表された時間別、四季別のＣＯ２排出量原単位が入力記録され、前記電力供給約款、又は前記ＣＯ２排出量原単位に則って電力モニターから出力される使用電気量のデータをエクセル形式とアクセス形式との２方式で同時に処理する電力使用量蓄積処理手段、電力料金演算処理手段、及びＣＯ２排出量換算処理手段をもって処理するＣＰＵとでなるコストボックスなるタッチパネル操作のディスプレイを備えたパソコンとで構成する。【選択図】図２
2006309325.tif 000002
【特許請求の範囲】
【請求項１】
電気を供給する電力会社及びＰＰＳと需要家とは、高圧季節別、時間帯別等の電力供給約款が選択契約されると共に、発電における時間別、四季別のＣＯ２排出原単価がインターネット上に公表されるとこによって、これらの設定データが電力会社及びＰＰＳにおける設定ツールとして電話回線等でコストボックスなるタッチパネル操作のディスプレイを備えたパソコンへ入力記録され、デジタル処理の電力モニターより出力された使用電気量のデータ（積算電力量、力率、電圧、電流）が前記コストボックスに少なくとも２年以上亘って入力記録され、単位時間当り（例えば３０分）の前記使用電気量のデータがエクセル形式とアクセス形式との２通り方式で同時に処理する蓄積処理され、電力使用量分析モードで選択されることによって、電力使用量の現在値がリアルトレンドグラフとしてモニタリングされ、また日毎、月毎の電力使用量を棒グラフとしてモニタリングし、前記棒グラフの今年度と前年度の比較棒グラフがモニタリングされると共に、これら比較差による省電力量が過去５年間に亘って蓄積された過去５年間の日負荷、月負荷、年負荷の曲線グラフとしてモニタリングされ、電力モニターより出力された使用電気量のデータがエクセル形式とアクセス形式との２通り方式で同時に処理する電力料金演算処理され、電力量料金分析モードで選択されることによって、電力量料金の現在値がリアルトレンドグラフとしてモニタリングされ、また日毎、月毎の電力使用量料金を棒グラフとしてモニタリングし、前記棒グラフの今年度と前年度の比較棒グラフがモニタリングされると共に、これら比較差による省電力量料金が日負荷、月負荷、年負荷の曲線グラフとしてモニタリングされ、
更に、電力モニターより出力される使用電気量のデータが前記ＣＯ２排出量原単位に基づくエクセル形式とアクセス形式との２通り方式で同時に処理するＣＯ２排出量換算処理されると、ＣＯ２排出量の現在値がリアルトレンドグラフとしてモニタリングされ、また、日毎のＣＯ２排出量を蓄積処理することによって棒グラフとしてモニタリングし、前記棒グラフの今年度と前年度の比較棒グラフがモニタリングされると共に、これら比較差によるＣＯ２排出量削減率が曲線グラフとしてモニタリングされることを特徴とするＣＯ２削減、省電力監視モニタリング方法。
【請求項２】
発電における時間別、四季別のＣＯ２排出原単位がタンターネット上に公表されている電気供給の電力会社及びＰＰＳと、需要家とは、高圧季節別、時間帯別等の電力供給約款が選択契約され、この状況下において、使用電気量のデータ（積算電力量、力率、電圧、電流）を出力するデジタル処理の電力モニターと、該電力モニターよりの単位時間当りの使用電気量のデータが少なくとも２年以上に亘って入力記録される、そして電力会社及びＰＰＳからの設定ツールである前記電力供給約款が入力され、且つ公表された時間別、四季別のＣＯ２排出量原単位が入力記録され、前記電力供給約款、又は前記ＣＯ２排出量原単位に則って、電力モニターから出力される使用電気量のデータが（プログラマブルコントローラーを備えることによってエクセル（ＥＸＥＬ）形式とアクセス（Ａｃｃｅｓｓ）形式との２通り方式で同時に処理される電力使用量蓄積処理手段、電力料金演算処理手段、及びＣＯ２排出量換算処理手段をもって処理するＣＰＵとでなるコストボックスなるタッチパネル操作のディスプレイを備えたパソコンとで構成し、
該コストボックスは、前記電力モニターよりの使用電気量のデータが、電力会社及びＰＰＳの設定ツールである電力供給約款に則った電力使用量蓄積処理手段によって、電力使用量の現在値がリアルトレンドグラフとして、ディスプレイにモニタリングされ、日毎、月毎の電力使用量が棒グラフとして、この棒グラフによる今年度と前年度との比較棒グラフがモニタリングされると共に、これら比較差による日負荷、月負荷、年負荷が曲線グラフとしてディスプレイにモニタリングされ、電力供給約款に則った電力料金演算手段によって、電力使用量の現在値がリアルトレンドグラフとして、日毎、月毎の電力使用量料金が棒グラフとしてディスプレイにモニタリングされ、この棒グラフによる今年度と前年度との比較棒グラフがモニタリングされると共に、これらの比較差による省電力量料金が曲線グラフとしてディスプレイにモニタリングされ、
更に、電力会社及びＰＰＳの公表のＣＯ２排出量原単位に則ったＣＯ２排出量換算処理手段によって、ＣＯ２排出量の現在値がリアルトレンドグラフとして、日毎、月毎のＣＯ２排出量が棒グラフとして、この棒グラフによる今年度と前年度との比較棒グラフとしてディスプレイにモニタリングされると共に、これら比較差によるＣＯ２排出量削減率が曲線グラフとしてディスプレイにモニタリングされることを特徴とするＣＯ２削減、省電力監視モニタリングシステム。
【発明の詳細な説明】
【技術分野】
【０００１】
本発明は、地球温暖化防止のため、需要家が大気中のＣＯ２濃度の増加を抑える省電力に寄与する電力消費を監視できるモニタリング方法、及びそのシステムに関するものである。
【背景技術】
【０００２】
次世代のＤＳＭ（デマンドサイドマネジメント：エネルギー需要を社会的に望ましい形態へと変化させる手段）を推進するため、特にエネルギーコストに着目し、コスト意識の向上を通して、エネルギー需要の管理、抑制を図ることであって、その一環として、需要家自らがコスト意識をもって省エネルギー行動を起こし、それに参加できる省電力監視モニタリング方法、及びそのシステムの開発が望まれている。
【０００３】
そして、需要家である一般家庭にあっても省エネルギーを徹底できる技術の開発を課題とし、省エネルギーの推進、ひいては、地球温暖化の防止にも貢献することになる。
【０００４】
従来の省エネルギーシステムは、一般家庭にて消費するエネルギーを供給側の電力会社、並びにＰＰＳ（特定規模電気事業者）などが測定するものであって、前記供給別に、担当領域内で消費している前記エネルギーの量が予め設定している値を越えた時に節約メッセージを送付するメッセージ出力手段を設け、前記一般家庭側に、前記節約メッセージを受信する受信手段と、前記エネルギーの消費をトレンドとして記憶するトレンドメモリとを設け、更に、前記供給側に前記トレンドメモリの内容によって前記エネルギーの消費料金を決定する料金収受システムを備えたもである。
【０００５】
【特許文献１】特開２００２−１３３５６８号公報
【０００６】
一方、国連による地域温暖化防止のための京都議定書が批准され、その発効の可能性が高まる中、数値目標を達成すること（削減率５％（平均値）を２０１０年に達成）にある。
【０００７】
そこで、省エネルギーシステムの導入によってＣＯ２排出量を削減したシステムが既に知られている。
このＣＯ２排出量を削減する省エネルギーシステムは、削減したＣＯ２排出量をＣＯ２排出権として有価にし、それをＣＯ２排出権取引市場で売却し、利益を得ることができるようにしたものである。
この省エネルギーシステムは、運転状況を管理、監視するものであって、計測される省エネルギー（省電力）システムの運転によるエネルギーの消費量、及びエネルギー発生量のデータを通信回線を介して定期的にサーバで受信し、該サーバがエネルギー消費量とエネルギー発生量から省エネルギーシステムのランニングコスト削減額を算出し、エネルギー消費量に基づいたＣＯ２排出量とエネルギー発生量に基づいたＣＯ２排出量との差によってＣＯ２排出削減量を算出し、算出したＣＯ２排出削減量及びその累積量に関する情報をイタンーネット上に提供し、ＣＯ２排出削減量は、ＣＯ２排出権に対応させ、比較的少量のＣＯ２排出権であっても取れる市場を提供する、どちらかと云うと、エネルギー供給側のものである。
【０００８】
【特許文献２】特開２００１−３３８０２８号公報
【０００９】
ところで、便利さや、快適性のため、エネルギー利用に電気の需要の占める割合が年々増加している状況下において、ＣＯ２の排出量を抑えるためには省電力の推進と、電力の高効率的利用とにある。それには、電力使用量を監視分析する為に、これをモニタリングすることにある。
【発明の開示】
【発明が解決しようとする課題】
【００１０】
前記従来技術は、省エネルギーが省電力として電力会社並びにＰＰＳ等の供給側からの監視、検証するシステムであって、需要家は、これら電力会社並びにＰＰＳ等の供給側に監視、検証を委任し、管理の全てを任せていた。
よって、需要者は、省エネルギーに参加しているものの実感がでず、需要家にはコスト削減及び、ＣＯ２排出量削減への真偽が見えてこないという現状であった。
【００１１】
また、従来技術のＣＯ２排出削減量を算出する省エネルギーシステムは、エネルギー消費量とエネルギー発生量とからランニングコスト削減額とＣＯ２排出削減量を単に算出し、管理するものであって、ＣＯ２排出削減量をＣＯ２排出権に対応させ、それに由来するエネルギー供給側の利益を還元するものである。
よって、需要家は、コスト削減に基づくＣＯ２排出量削減に至りにくかった。
【００１２】
そこで、前記課題を解決するべく、需要家自らが監視、検証できる省電力システムであって、需要家が理解し易いようにコストによる検証を可能とし、エネルギーコストを低減させるためにリアルタイムに電力使用量、電力料金を監視モニターし、そのデータを記録し、データベース化することによって、過去のデータと比較し、コスト削減及びＣＯ２排出量削減ができているかを需要家自らが判断分析できるようにすることで、コスト意識を高揚させることを目的とする。
【００１３】
そして、需要家自らが電力使用量、料金、及びＣＯ２排出量削減の監視をモニタリング出来るだけでなく、一番多くエネルギーの消費をする負荷設備（空調機、冷凍機等）と連携し、負荷設備の運動をモニターを見ながら時間ごとに運転パターンを変更できるように、変化を分析することのできるようにすることでもある。
【課題を解決するための手段】
【００１４】
本発明は、電気を供給する電力会社及びＰＰＳと需要家とは、高圧季節別、時間帯別等の電力供給約款が選択契約されると共に、発電における時間別、四季別のＣＯ２排出量原単位がインターネット上に公表されることによって、これらの設定データが電力会社及びＰＰＳにおける設定ツールとして電話回線等でコストボックスなるタッチパネル操作のディスプレイを備えたパソコンへ入力記録され、デジタル処理の電力モニターより出力された使用電気量のデータ（積算電力量、力率、電圧、電流）が前記コストボックスに少なくとも２年以上に亘って入力記録され、単位時間当り（例えば３０分）の前記使用電気量のデータがエクセル形式とアクセス形式との２通り方式で同時に処理する蓄積処理され、電力使用量分析モードで選択されることによって、電力使用量の現在値がリアルトレンドグラフとしてモニタリングされ、また、日毎、月毎の電力使用量を棒グラフとしてモニタリングし、前記棒グラフの今年度と前年度の比較棒グラフがモニタリングされると共に、これら比較差による省電力量が過去５年間に亘って蓄積された過去５年間の日負荷、月負荷、年負荷の曲線グラフとしてモニタリングされ、
電力モニターより出力される使用電気量のデータがエクセル形式とアクセス形式との２通り方式で同時に処理する電力料金演算処理され、電力量料金分析モードで選択されることによって、電力量料金の現在値がリアルトレンドグラフとしてモニタリングされ、また日毎、月毎、の電力使用量料金を棒グラフとしてモニタリングし、前記棒グラフの今年度と前年度の比較棒グラフがモニタリングされると共に、これら比較差による省電力量料金が日負荷、月負荷、年負荷の曲線グラフとしてモニタリングされ、更に、電力モニターより出力される使用電気量のデータが前記ＣＯ２排出量原単位に基づくエクセル形式とアクセス形式との２通り方式で同時に処理するＣＯ２排出量換算処理されると、ＣＯ２排出量の現在値がリアルトレンドグラフとしてモニタリングされ、また、日毎のＣＯ２排出量を蓄積処理することによって棒グラフとしてモニタリングし、前記棒グラフの今年度と前年度の比較棒グラフがモニタリングされると共に、これら比較差によるＣＯ２排出量削減率が曲線グラフとしてモニタリングされるこを特徴とするＣＯ２削減、省電力監視モニタリング方法である。（請求項１）
【００１５】
本発明は、発電における時間別、四季別のＣＯ２排出量原単位がインターネット上に公表されている電気供給の電力会社及びＰＰＳと、需要家とは、高圧季節別、時間帯別等の電力供給約款が選択契約され、この状況下において、使用電気量のデータ（積算電力量、力率、電圧、電流）を出力するデジタル処理の電力モニターと、該電力モニターよりの単位時間当りの使用電気量のデータが少なくとも２年以上に亘って入力記録される、そして、電力会社及びＰＰＳからの設定ツールである前記電力供給約款が入力記録され、且つ公表された時間別、四季別のＣＯ２排出量原単位が入力記録され、前記電力供給約款、又は前記ＣＯ２排出量原単位に則って、電力モニターから出力される使用電気量のデータをエクセル（ＥＸＣＥＬ）形式とアクセス（Ａｃｃｅｓｓ）形式との２通り方式で同時に処理する電力使用量蓄積処理手段、電力料金演算処理手段、及びＣＯ２排出量換算処理手段をもって処理するＣＰＵとでなるコストボックスなるタッチパネル操作のディスプレイを備えたパソコンとで構成し、
該コストボックスは、前記電力モニターよりの使用電気量のデータが、電力会社及びＰＰＳの設定ツールである電力供給約款に則った電力使用量蓄積処理手段によって、電力使用量の現在値がリアルトレンドグラフとして、ディスプレイにモニタリングされ、日毎、月毎、の電力使用量が棒グラフとして、この棒グラフによる今年度と前年度との比較棒グラフがモニタリングされると共に、これら比較差による日負荷、月負荷、年負荷が曲線グラフとしてディスプレイにモニタリングされ、電力供給約款に則った電力料金演算手段によって、電力使用量料金の現在値がリアルトレンドグラフとして、日毎、月毎の電力使用量料金が棒グラフとしてディスプレイにモニタリングされ、この棒グラフによる今年度と前年度との比較棒グラフがモニタリングされると共に、これらの比較差による省電力量料金が曲線グラフとしてディスプレイにモニタリングされ、
更に、電力会社及びＰＰＳでの公表のＣＯ２排出量原単位に則ったＣＯ２排出量換算処理手段によって、ＣＯ２排出量の現在値がリアルトレンドグラフとして、日毎、月毎のＣＯ２排出量が棒グラフとして、この棒グラフによる今年度と前年度との比較棒グラフとしてディスプレイにモニタリングされると共に、これら比較差によるＣＯ２排出量削減率が曲線グラフとしてディスプレイにモニタリングされることを特徴とするＣＯ２削減、省電力監視モニタリングシステムである。（請求項２）
【発明の効果】
【００１６】
本発明のＣＯ２削減、省電力監視モニタリング方式、及びそのシステムは、需要家自らが監視、検証できるものであって、ＤＳＭ（デマンドサイドマネジメント）を推進する一環として需要家自らがコスト意識をもって自らの電力使用状況を把握し、省エネ行動を起せると共に、ＣＯ２排出量削減による環境温暖化阻止の活動への参加が自覚されることのできるものである。
【００１７】
監視モニタリングシステムのコストボックスは、そのデータ保存形式が、需要家が確認、編集、検査、分析するために使用するエクセル（ＥＸＣＥＬ）形式と、グラフ、数値分析、表示、バックアップデータ（永久保存）のために使用するアクセス（Ａｃｃｅｓｓ）形式との２通り方式で同じデータを同時に処理する蓄積処理の為、データベース加工が容易にでき、また、データベース型で保存することによって、過去のデータを分析、予測を探索することができるものである。
また、該コストボックスは、タッチパネル形式になっているため、ワンタッチで画面切替操作ができ、すばやく分析、探索が誤動作なく使用できるものである。
そして、前記コストボックスは、誰が使用しても、簡単、且つ容易にできる上、誤操作しないで出来、リアルトレンドグラフ（常時測定グラフ）、棒グラフ、曲線グラフで、電力使用量、電力量料金、ＣＯ２排出量が逸早くモニタリングできるので、分析、制御などの取扱いが仕易くできる。
【００１８】
なお、設置の電力モニターは、従来が電力会社で設置している電力量計から出力されているパルスを受け取り、積算電力量を算出していたのとは相違し、デジタル処理する電力モニターを使用することによって、時間と、電力量と、力率等の使用電気量を正確に蓄積する為、電力料金演算は、殆ど誤差が発生されることなくできるものである。
【発明を実施するための最良の形態】
【００１９】
本発明は、ＣＯ２削減、省電力監視モニタリング方法、及びそのシステムである。
図１は、ＣＯ２削減、省電力監視モニタリングシステムの構成を示すものであって、電力会社及びＰＰＳ（特定規模電気事業者）等で供給される電力がデジタル処理されて、積算電力量、力率、電圧、電流の送信データを出力する電力モニター２と、該電力モニターより出力された送信データを少なくとも２年以上に亘って入力し、この送信データが、電力会社及びＰＰＳと需要家とで選択契約された高圧季節別、時間帯別等の電力供給約款、及びインターネット上で公表される発電による時間別、四季別のＣＯ２排出量原単位による設定データに基いて処理され、リアルトレンドグラフ、棒グラフ、曲線グラフにモニタリングされるタッチパネル操作のディスプレイを備えたコストボックスなるパソコン１とでなる。
そして、このコストボックス１にモニタリングされるリアルトレンドグラフ、棒グラフ、及び曲線グラフはコストボックスの通信モデム４と管理事務所３の通信モデム５を専用通話回路６で接続することによって、電力会社及びＰＰＳの供給側の供給約款、ＣＯ２排出量原単位等の設定値を設定ツールとして予め管理事務所３に通信しておかれ、このことによって、電力料金計算、ＣＯ２排出量計算にかかる設定ツールを診断に使用する診断ツールとして使用でき、コストボックス１の誤操作、誤動作を防ぎ、操作タッチパネルのかかわる機器の異常を診断することができて、コストボックス１に蓄積したデータを遠隔監視、分析するために診断することができる。この設定ツール、診断ツールのデータは、レーザープリンター、ドットプリンター等のプリンターによって印刷保管される。
【００２０】
なお、主な電力供給を電力会社及びＰＰＳ等の電力供給側から受け、ＣＯ２濃度の増加を抑える省電力に寄与する電力取引の監視分析システムＡになっているが、それに対して、その電力供給に、空調設備、冷凍機、ＥＳＣＯ設備などの負荷設備を置換えて、これによる電力使用にし、そのＣＯ２濃度の増加を抑える省電力に寄与する空調設備の監視制御、冷凍機の監視制御、ＥＳＣＯ設備の監視分析システムＢにしても、その監視分析のモニタリング方式及びそのシステムには特に差異がない。
また、コンディショナーによる太陽光発電の監視分析システムＣにおいても、電力取引の監視分析システムＡと同様である。
【００２１】
図２は、電力取引のＣＯ２削減、省電力監視分析モニタリングシステムの必要データ概要フロー図である。
スタート１１から電力モニターがデジタル処理を行っており、時間と電力使用量と力率を正確にするため、現在時間修正処理１２し、電力量計（電力モニター）より積算電力量、力率データを取込み処理１３する。
電力モニターがデジタル処理にすることは、電力会社が従来より設置している電力量計からの出力がパルスによる積算電力量の算出であるので、年間当りには誤差を発生することになる為である。
需要家が電力会社及びＰＰＳ１４と高圧季節別、時間帯別等の電力供給約款を選択契約する。該電力供給約款メニューモードの選択１５によっての選択約款１６ａ，１６ｂ，１６ｃ…に基いて、３０分毎の電力使用量がデータ蓄積処理１７される。蓄積処理された電力使用量は、分析モード選択１９されることによって、現在値リアルトレンドグラフ、日毎棒グラフ、週毎棒グラフ、月毎棒グラフ、年毎棒グラフ、これら棒グラフの今年度と前年度の比較棒グラフ、日負荷、月負荷、年負荷曲線グラフ等の分析グラフ２１がタッチパネル操作のディスプレイにモニタリングされる。
また、選択約款１６ａ，１６ｂ，１６ｃ…に基いて、電力モニター１３よりの３０分毎の電力使用量が電力料金演算処理１８され、電力量料金分析モード選択２０されて、現在値リアルトレンドグラフ、日毎棒グラフ、…今年度と前年度比較棒グラフ、そして、負荷曲線グラフ等の電力量料金分析グラフ２２をディスプレイにモニタリングされる。
更に、電力会社及びＰＰＳより公表されるＣＯ２排出量原単位情報２３を受け、電力モニターよりの電力使用量が時間別、四季別ＣＯ２排出量原単位２４に基いてＣＯ２排出量換算処理２５され、ＣＯ２排出量が現在値リアルトレンドグラフ、日毎棒グラフ、週毎棒グラフ、月毎棒グラフ、年毎棒グラフ、この今年度と前年度との比較棒グラフ、削減率の曲線グラフなど分析グラフ２６をディスプレイにモニタリングされる。
【００２２】
次に、電力モニター２より送信された電力使用量のデータを蓄積処理するフロー図を図３にて示す。
スタート１１より、現在時間修正処理１２のために自動日付、時刻修正プログラム起動させ、時刻管理プロバイダにアクセスし、自動的にパソコン１の時刻を変更してくれる（１日１回日本標準時刻に変更する）。
電力モニターでデジタル処理された３０分毎の積算電力量、力率等のデータ１３がパソコン（コストボックス１）にデータ受信処理される。該データは、３０分毎になっていることが判断されたならば、蓄積処理される。蓄積データはデータ破損を防ぐ為、プログラマブルコントローラーにデータ保護用として蓄積する。このことによって、コストボックスのデータ保存形式は、エクセル形式とアクセス形式の２通り方式で同じデータを同時に蓄積するので、エクセル形式として、確認、編集、検査、分析するために使用し、アクセス形式とは、コストボックスの分析（グラフ、数値）表示、バックアップデータ（永久保存）のために使用される。前記データは、少なくとも２年に亘って検出し、一定期間（例えば５年間）を満杯になったときにはデータの満杯チェックされることによって一番古いデータを削除処理２７される。
【００２３】
図４は、蓄積データを基に、一目で目視出来るように、トレンドグラフや、棒グラフ、月負荷、年負荷曲線グラフを表示する分析フロー図を示す。
ａ  トレンドグラフ表示
スタート２１（２２，２６）で、電力モニターより送信された電力使用量のデータを選択供給約款、ＣＯ２排出量原単位情報に基づいて処理した結果の蓄積データが入力される。この蓄積データが電力使用量、電力料金、ＣＯ２の排出量の現在値として、３０分間隔に表示されるため現在値読出２８し、トレンドグラフに代入２９し、タッチパネル操作のディスプレイにトレンドグラフ表示３０され、表示画面は、指一本のタッチで画面切替出来、また一画面で表示できるため、分析が容易にできる。
ｂ  棒グラフ表示（今年度と前年度の比較）
電力使用量のデータを選択供給約款、ＣＯ２排出量原単位情報に基づいて処理された蓄積データが読出指令３２で読出３３され、今年度と前年度の電力使用量の実績を比較表示する。この今年度、前年度比較モード３４が棒グラフ表示３５され、この表示画面は、タッチで画面切替でき、また一画面で表示できるので分析３６が容易である。
ｃ  月負荷、年負荷曲線グラフ表示（過去５年間）
電力モニターより送信された電力使用量のデータを選択供給約款、ＣＯ２排出量原単位情報に基づいて処理した蓄積データが過去５年間に亘って、スタート２１（２２，２６）で入力され、過去５年間の蓄積データ読出モード３７とされ、過去５年間の蓄積データを読出３８し、電力料金、電力使用量の過去５年分の月別、年別の実績データを一画面で表示する。この表示は、負荷曲線グラフ表示３９し、表示画面は、タッチで画面を切替出来、また一画面で表示できるため、分析４０が容易に出来る。
【００２４】
現実の蓄積データ加工詳細を説明すると、電力モニターを使用しての電力取引の監視分析蓄積データは、電力モニターより送信された積算電力量のデータをもとに、３０分間毎に電力使用量を表１のように蓄積する。
【００２５】
【表１】
2006309325.tif 000003
この蓄積データは、５年間まで蓄積可能である。そして５年間以上は、一番古いデータから１日ずつ自動的に削除するものである。
そして、エクセル形式とアクセス形式の両方で蓄積するため、データの加工が容易に出来るものである。
【００２６】
【表２】
2006309325.tif 000004
電力使用量を電力料金に演算した電力料金蓄積である。
【００２７】
以上のように処理されたデータを元にリアルトレンドグラフ、棒グラフ、そして、曲線グラフがモニタリングされる。
【００２８】
図５は、夏季と他季との季節別、昼間と夜間との時間帯別における電力供給約款に基づく月毎棒グラフであって、今年度と前年度との比較棒グラフをタッチパネルのディスプレイに比較表示されたものである。
月毎に、基本（イ）、昼間（ロ）、夜間（ハ）が蓄積表示され、夏季には更にピーク（ニ）が設けられることになる。この棒グラフが今年度の棒グラフ（ａ）と前年度の棒グラフ（ｂ）とが比較表示され、分析されることになる。そして、前年度より今年度の棒グラフが短ければ、電力使用量が削減でき、また、電力量料金を減らして省電力し、また、ＣＯ２排出量を削減したことになる。
【００２９】
なお、ＣＯ２削減においては、ＣＯ２排出量原単位が電力会社より公表されるが、このＣＯ２排出量原単位は、発電方法によって図６のようにそのＣＯ２排出量が異なる。電力会社の発電に使用する材料でＣＯ２排出量が変る。
そこで、電力会社は、時間別のＣＯ２排出量原単位を公表している。図７の如く、（ｉ）平日のＣＯ２排出量原単位、（ii）土日祝日のＣＯ２排出量原単位である。そして、このＣＯ２排出量原単位は夏季、冬季、中間季、定検定修時など発電構成が変わるたびに公表されるものである。
【図面の簡単な説明】
【００３０】
【図１】ＣＯ２削減・省電力監視モニタリングのブロック図である。
【図２】ＣＯ２削減・省電力監視モニタリングのフロー図である。
【図３】コストボックスの計量蓄積フロー図である。
【図４】（ａ）トレンドグラフ表示の分岐フロー図である。（ｂ）棒グラフ表示の分析フロー図である。（ｃ）曲線グラフ表示の分析フロー図である。
【図５】月毎棒グラフにおける今年度と前年度の比較棒グラフを表示する。
【図６】発電方法別のＣＯ２排出量を示すグラフである。
【図７】（ｉ）平日のＣＯ２排出量原単位の説明図である。（ii）土日祝日のＣＯ２排出量原単位の説明図である。
【符号の説明】
【００３１】
１：コストボックス
２：電力モニター
１４：電力会社及びＰＰＳ
１７：電力使用量のデータ蓄積処理
１８：電力料金演算処理
２５：ＣＯ２排出量換算処理
２１：現在値リアルトレンドグラフ、日毎棒グラフ等
２２：現在値リアルトレンドグラフ、日毎棒グラフ等
２６：現在値リアルトレンドグラフ、日毎棒グラフ等
【図１】
2006309325.tif 000005
【図２】
2006309325.tif 000006
【図３】
2006309325.tif 000007
【図４】
2006309325.tif 000008
【図５】
2006309325.tif 000009
【図６】
2006309325.tif 000010
【図７】
2006309325.tif 000011
【手続補正書】
【提出日】平成17年5月11日(2005.5.11)
【手続補正１】
【補正対象書類名】図面
【補正対象項目名】図２
【補正方法】変更
【補正の内容】
【図２】
2006309325.tif 000012